(57)【要約】      （修正有）【課題】杖の長さを調整しやすい脇支持型杖の構造を提供する。【解決手段】脇支持型杖の構造において、管本体１０は平行に間隔を開けて貫通状の主管通路１１と副管通路１２が設けられ、また該主管通路と該副管通路の管壁にそれぞれ複数の位置限定孔１１１、１２１が設けられ、主管円棒２０と副管円棒３０はそれぞれ該管本体の主管通路と副管通路に通され、さらに第一凸部２２１と第二凸部３２１によって該位置限定孔に合致され、また該位置限定孔はすべて等しい距離で該主管通路と該副管通路の一直線上に並べられ、該主管円棒と該副管円棒の回転によって該第一凸部と該第二凸部が該位置限定孔の直線位置より離れることにより、該管本体の内壁に沿って選択したい該位置限定孔位置に直接に伸縮でき、再び該主管円棒と該副管円棒を回して該第一凸部と該第二凸部を改めて該指定の位置限定孔に嵌めさせ、長さを速やかに調整する効果が果たされる。【選択図】図２
0003220799.tif 000002
【実用新案登録請求の範囲】
【請求項１】
管本体と、主管円棒と、副管円棒とを含む脇支持型杖の構造であって、
上記管本体は平行に間隔を開けて貫通状の主管通路と副管通路が設けられ、また上記主管通路と上記副管通路の管壁にそれぞれ複数の位置限定孔が設けられ、上記管本体の一端に底蓋が嵌められ、また上記底蓋は上記主管通路の開口をカバーし、また上記副管通路に副管開口が設けられ、上記管本体のもう一端に頂部カバーが設けられ、また上記頂部カバーは上記副管通路をカバーし、また上記主管通路に主管開口が設けられ、上記頂部カバーは外へ延伸されるグリップがあり、
上記主管円棒は上記管本体の主管通路に通され、また上記主管円棒は上記頂部カバーの主管開口より突き出た一端に脇あてが結合され、上記主管円棒の内部に第一弾性片が設けられ、上記第一弾性片に第一凸部が突設され、上記主管円棒に貫通孔が設けられ、上記第一凸部は上記貫通孔と上記位置限定孔より突き出ることで、上記主管円棒が上記管本体より伸び出る長さが固定されることにより、上記脇あてと上記グリップとの間の距離を調整し、
上記副管円棒は上記管本体の副管通路に通され、また上記副管円棒は上記底蓋の副管開口より突き出た一端に弾性パットが結合され、上記副管円棒内部に第二弾性片が設けられ、上記第二弾性片に第二凸部が突設され、上記副管円棒に穿孔が設けられ、上記第二凸部は上記穿孔と上記位置限定孔より突き出ることで、上記副管円棒が上記管本体より伸び出る長さが固定されることにより、上記弾性パットが地面を支える全体の高さが調整されることを特徴とする脇支持型杖の構造。
【請求項２】
上記位置限定孔はすべて等しい距離で上記主管通路と上記副管通路の一直線上に並ばれ、上記主管円棒と上記副管円棒の回転によって上記第一凸部と上記第二凸部が上記位置限定孔の直線位置より離れることにより、上記管本体の内壁に沿って選択したい上記位置限定孔の位置に直接に伸縮でき、再び上記主管円棒と上記副管円棒を回して上記第一凸部と上記第二凸部を改めて上記指定の位置限定孔に嵌めさせ、長さを速やかに調整する効果が果たされることを特徴とする請求項１の脇支持型杖の構造。
【請求項３】
上記グリップと上記脇あてが互いに上記管本体の片側と平行であることを特徴とする請求項１の脇支持型杖の構造。
【請求項４】
上記主管円棒と上記副管円棒は上記管本体内部の一端にそれぞれ管栓が嵌められ、上記管栓は弾性部が形成され、さらに上記弾性部が上記管本体内壁に接触することにより、上記管栓によって適切な滑り移動抵抗力が形成されることを特徴とする請求項１の脇支持型杖の構造。
【請求項５】
上記主管円棒の表面に標記目盛りが設けられることを特徴とする請求項１の脇支持型杖の構造。
【考案の詳細な説明】
【技術分野】
【０００１】
本考案は杖の構造に関し、特に長さを調整しやすい脇支持型杖の構造に関する。
【背景技術】
【０００２】
従来の杖の構造は、外管、中管、内管と複数の位置限定部材を含み、該位置限定部材は弾性挟み片と位置限定楔からなり、中管は外管内部に嵌められ、中管は外管内に伸縮して平行移動できるようにさせることで、外管と中管間全体の長さを変えるためである。中管内部の位置限定部材の取り付けによって、位置限定部材の位置限定楔が弾性的に中管の通過孔より突き出されてから、流れに沿って外管の固定孔に合致されることで、中管は完全に伸びた後に固定されることが実現される。内管の外周に縦方向に多数の位置限定孔が並べられ、さらに該位置限定部材の位置限定楔によって該位置限定孔と中管の通過孔が通され、該中管に挿して設けられる内管が伸縮後に固定される。しかし、上述の従来構造を見ると依然として不足する部分があると分かり、主な原因は以下の通りである。該外管、中管と内管は互いに回転することを防ぐために非円管状に設計されることで、該外管、中管と内管は一直線に伸縮するように保たれ、伸縮調整する時、該位置限定楔は毎回順番に隣り合わせの位置限定孔に合致されるため、該伸縮調整のスピードが遅く、また操作しにくくなる。もし該外管、中管と内管の設計が円管状の場合は、外管、中管と内管はすべて円管状で互いに通されるため、該外管、中管と内管はすべて力を加えて回転されにくく、単純に円管構造を変えるだけで操作しやすく伸縮調整を行う目的が難しいため、これは杖において長い間に存在する技術的な問題点である。
【０００３】
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００４】
本考案が解決しようとする課題は、従来の技術問題点を解決し、脇支持型杖の構造を提供する。
【課題を解決するための手段】
【０００５】
管本体は平行に間隔を開けて貫通状の主管通路と副管通路が設けられ、また該主管通路と該副管通路の管壁にそれぞれ複数の位置限定孔が設けられる。該管本体の一端に底蓋が嵌められ、また該底蓋は該主管通路の開口をカバーし、また該副管通路に副管開口が設けられる。該管本体のもう一端に頂部カバーが設けられ、また該頂部カバーは該副管通路をカバーし、また該主管通路に主管開口が設けられ、該頂部カバーは外へ延伸されるグリップがある。主管円棒は該管本体の主管通路に通され、また該主管円棒は該頂部カバーの主管開口より突き出た一端に脇あてが結合され、該主管円棒内部に第一弾性片が設けられ、該第一弾性片に第一凸部が突設される。該主管円棒に貫通孔が設けられ、該第一凸部は該貫通孔と該位置限定孔より突き出ることで、該主管円棒が該管本体より伸び出る長さが固定されることにより、該脇あてと該グリップとの間の距離を調整する。副管円棒は該管本体の副管通路に通され、また該副管円棒は該底蓋の副管開口より突き出た一端に弾性パットが結合され、該副管円棒内部に第二弾性片が設けられ、該第二弾性片に第二凸部が突設される。該副管円棒に穿孔が設けられ、該第二凸部は該穿孔と該位置限定孔より突き出ることで、該副管円棒が該管本体より伸び出る長さが固定されることにより、該弾性パットが地面を支える全体の高さが調整される。
【０００６】
該位置限定孔はすべて等しい距離で該主管通路と該副管通路の一直線上に並べられ、該主管円棒と該副管円棒の回転によって該第一凸部と該第二凸部が該位置限定孔の直線位置より離れることにより、該管本体の内壁に沿って選択したい該位置限定孔位置に直接に伸縮でき、再び該主管円棒と該副管円棒を回して該第一凸部と該第二凸部を改めて該指定の位置限定孔に嵌めさせ、長さを速やかに調整する効果が果たされる。
【０００７】
該グリップと該脇あてが互いに該管本体の片側と平行する。
【０００８】
該主管円棒と該副管円棒は該管本体内部の一端にそれぞれ管栓が嵌められ、該管栓は弾性部が形成され、さらに該弾性部が該管本体内壁に接触することにより、該管栓によって適切な滑り移動抵抗力が形成される。
【０００９】
該主管円棒の表面に標記目盛りが設けられる。
【００１０】
本考案の第一主な目的は、該管本体は平行に間隔を開けて貫通状の主管通路と副管通路が設けられ、また該主管通路と該副管通路の管壁にそれぞれ複数の位置限定孔が設けられ、該主管円棒と副管円棒はそれぞれ該管本体の主管通路と副管通路に通され、さらに該第一凸部と該第二凸部によって該位置限定孔に合致され、また該位置限定孔はすべて等しい距離で該主管通路と該副管通路の一直線上に並ばれ、該主管円棒と該副管円棒の回転によって該第一凸部と該第二凸部が該位置限定孔の直線位置より離れることにより、該管本体の内壁に沿って選択したい該位置限定孔位置に直接に伸縮でき、再び該主管円棒と該副管円棒を回して該第一凸部と該第二凸部を改めて該指定の位置限定孔に嵌めさせ、長さを速やかに調整する効果が果たされる。
【図面の簡単な説明】
【００１１】
【図１】図１は、本考案に係る脇支持型杖の構造を示す立体図である。
【図２】図２は、本考案に係る脇支持型杖の構造を示す立体分解図である。
【図３】図３は、本考案に係る脇支持型杖の構造を示す断面図である。
【図４】図４は、本考案の副管円棒を操作する局部拡大断面図である。
【図５】図５は、本考案の主管円棒を操作する局部拡大断面図である。
【図６】図６は、本考案の押される動作を示す図である。
【図７】図７は、本考案の回転される動作を示す図である。
【図８】図８は、本考案の長さが伸ばされる動作を示す図である。
【図９】図９は、本考案が回転して位置限定される動作を示す図である。
【図１０】図１０は、本考案が伸ばされた位置の断面図である。
【考案を実施するための形態】
【００１２】
まず、図１と図２を参照されたい。本考案の脇支持型杖の構造は、管本体１０と、主管円棒２０と副管円棒３０とを含む。管本体１０は平行に間隔を開けて貫通状の主管通路１１と副管通路１２が設けられ、また該主管通路１１と該副管通路１２の管壁にそれぞれ複数の位置限定孔１１１、１２１が設けられる。該管本体１０の一端に底蓋１３が嵌められ、また該底蓋１３は該主管通路１１の開口をカバーし、また該副管通路１２に副管開口１３１が設けられ、該管本体１０のもう一端に頂部カバー１４が設けられ、また該頂部カバー１４は該副管通路１２をカバーし、また該主管通路１１に主管開口１４１が設けられる。該頂部カバー１４は外へ延伸されるグリップ１４２がある。主管円棒２０は該管本体１０の主管通路１１に通され、また該主管円棒２０は該頂部カバー１４の主管開口１４１より突き出た一端に脇あて２１が結合され、該グリップ１４２と該脇あて２１が互いに該管本体１０の片側と平行になる。該主管円棒２０内部に第一弾性片２２が設けられ、該第一弾性片２２に第一凸部２２１が突設される。該主管円棒２０に貫通孔２３が設けられ、該第一凸部２２１は該貫通孔２３と該位置限定孔１１１より突き出ることで、該主管円棒２０が該管本体１０より伸び出る長さが固定されることにより、該脇あて２１と該グリップ１４２との間の距離を調整する。該主管円棒２０の表面に標記目盛り２４が設けられ、これによって直視で該管悪は適用するかどうかを判断する。副管円棒３０は該管本体１０の副管通路１２に通され、また該副管円棒３０は該底蓋１３の副管開口１３１より突き出た一端に弾性パット３１が結合され、該副管円棒３０内部に第二弾性片３２が設けられ、該第二弾性片３２に第二凸部３２１が突設される。該副管円棒３０に穿孔３３が設けられ、該第二凸部３２１は該穿孔３３と該位置限定孔１２１より突き出ることで、該副管円棒３０が該管本体１０より伸び出る長さが固定されることにより、該弾性パット３１が地面を支える全体の高さが調整される。該主管円棒２０と該副管円棒３０は該管本体１０内部の一端にそれぞれ管栓２５、３４が嵌められ、該管栓２５、３４は弾性部２５１、３４１が形成され、さらに該弾性部２５１、３４１が該管本体１０内壁に接触することにより、該管栓２５、３４によって適切の滑り移動抵抗力が形成される。該位置限定孔１１１、１２１はすべて等しい距離で該主管通路１１と該副管通路１２の一直線上に並ばれ、該主管円棒２０と該副管円棒３０の回転によって該第一凸部２２１と該第二凸部３２１が該位置限定孔１１１、１２１の直線位置より離れることにより、該管本体１０の内壁に沿って選択したい該位置限定孔１１１、１２１位置に直接に伸縮でき、再び該主管円棒２０と該副管円棒３０を回して該第一凸部２２１と該第二凸部３２１を改めて該指定の位置限定孔１１１、１２１に嵌めさせ、長さを速やかに調整する効果が果たされる。
【００１３】
その構造の組み合わせは図１から図３を参照されたい。該主管円棒２０内部に該第一弾性片２２が入れられ、また該第一弾性片２２の第一凸部２２１によって該主管円棒２０の貫通孔２３より突き出され、さらに該主管円棒２０の一端に該脇あて２１が結合され、該主管円棒２０のもう一端が該頂部カバー１４の主管開口１４１に突き抜けてから、該主管円棒２０に脇あて２１が設けられていない一端に管栓２５が設けられる。さらに該主管円棒２０は該管栓２５の一端によって該管本体１０の主管通路１１に差し込んで、該第一弾性片２２の第一凸部２２１が該管本体１０の位置限定孔１１１に突設される。同時に該頂部カバー１４が該管本体１０の同じ端の開口部に嵌められ、該頂部カバー１４が該副管通路１２をカバーでき、該主管開口１４１の口径が該管栓２５の弾性部２５１の外径より小さいことによって該主管円棒２０の離脱防止効果が形成される。一方、該第二弾性片３２を該副管円棒３０に入れられ、該第二弾性片３２の第二凸部３２１を該穿孔３３位置に突設される。該副管円棒３０の一端に弾性パット３１が設けられ、もう一端は該底蓋１３の副管開口１３１に貫通され、さらに該副管開口１３１の一端の副管円棒３０に管栓３４が取り付けられ、該副管円棒３０の管栓３４端を該管本体１０の副管通路１２に挿し込み、該第二弾性片３２の第二凸部３２１が該副管通路１２の位置限定孔１２１に穿設できる。底蓋１３を該管本体１０の同じ端の開口部に取り付けられる。該管栓３４の弾性部３４１の外径が該底蓋１３の副管開口１３１の口径より大きいことによって、該副管円棒３０は該管本体１０の副管通路１２から離れることなく、この構造の組み合わせが完成される。
【００１４】
実際の使用状況は、図１から図１０連続に参照されたい。長さの調整をしたい時、先に第一弾性片２２を押して該主管円棒２０の貫通孔２３の第一凸部２２１に突出され、該第一凸部２２１は該第一弾性片２２を押し潰して内縮状に形成される。この時は該主管円棒２０と該管本体１０の主管通路１１の固定状態が解除でき、さらに該主管円棒２０を回転させて該第一凸部２２１を該位置限定孔１１１の直線位置より離れさせ、該第一弾性片２２が該第一凸部２２１だけを該主管通路１１の内壁に当て押すことによって、該主管円棒２０が直接に引っ張られて段階制限のない長さ調整が行える。適合する長さに調整した後、再び該主管円棒２０を回転させて該第一凸部２２１を該対応する位置限定孔１１１に合致されていることにより、脇あて２１と該グリップ１４２の間隔を調整する目的が果たせられる。この時、使用者は該脇あて２１を脇に挟められ、さらに同じ手で該グリップ１４２を握ることで適切な位置の安定挟みに果たせられる。同じように、該第二弾性片３２の第二凸部３２１を押し、該第二凸部３２１は該第二弾性片３２を押し潰して内縮状に形成される。この時は該副管円棒３０と該管本体１０の副管通路１２の固定状態が解除でき、さらに該副管円棒３０を回転させて該第二凸部３２１を該位置限定孔１２１の直線位置より離れさせ、該第二弾性片３２が該第二凸部３２１だけを該副管通路１２の内壁に当て押すことによって、該副管円棒３０が直接に引っ張られて段階制限のない長さ調整が行える。適合する長さに調整した後、再び該副管円棒３０を回転させて該第二凸部３２１を該対応する位置限定孔１２１に合致されてることにより、速やかに該副管円棒３０は該管本体１０より伸びた長さが調整でき、該長さは該グリップ１４２から該弾性パット３１が地面を支える長さが決定でき、杖の使用目的が果たせられる。
【００１５】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１６】
本考案：
１０              管本体
１１              主管通路
１２              副管通路
１１１、１２１    位置限定孔
１３              底蓋
１３１            副管開口
１４              頂部カバー
１４１            主管開口
１４２            グリップ
２０              主管円棒
２１              脇あて
２２              第一弾性片
２２１            第一凸部
２３              貫通孔
２４              標記目盛り
２５、３４        管栓
２５１、３４１    弾性部
３０              副管円棒
３１              弾性パット
３２              第二弾性片
３２１            第二凸部
３３              穿孔
【図１】
0003220799.tif 000003
【図２】
0003220799.tif 000004
【図３】
0003220799.tif 000005
【図４】
0003220799.tif 000006
【図５】
0003220799.tif 000007
【図６】
0003220799.tif 000008
【図７】
0003220799.tif 000009
【図８】
0003220799.tif 000010
【図９】
0003220799.tif 000011
【図１０】
0003220799.tif 000012